【手続補正書】
【提出日】平成19年6月11日(2007.6.11)
【手続補正１】
【補正対象書類名】明細書
【補正対象項目名】発明の名称
【補正方法】変更
【補正の内容】
【発明の名称】デジタル放送受信装置、デジタル放送受信装置の固定ユニットおよび携帯ユニット
【手続補正２】
【補正対象書類名】明細書
【補正対象項目名】特許請求の範囲
【補正方法】変更
【補正の内容】
【特許請求の範囲】
【請求項１】  固定ユニットと、当該固定ユニットに着脱可能な携帯ユニットとを備え、
前記固定ユニットは、符号化された複数種類の情報が含まれるデジタル放送を受信する受信手段と、受信したデジタル放送に含まれる情報を記憶する第１記憶手段と、受信したデジタル放送に含まれる特定の種類の情報を復号する第１復号手段と、復号された情報を出力する第１出力手段と、受信したデジタル放送に含まれる残余の種類の情報を前記携帯ユニットに送信する第１通信手段とを有し、
前記携帯ユニットは、固定ユニットから送信される情報を受信する第２通信手段と、固定ユニットからの情報を記憶する第２記憶手段と、前記情報を復号する第２復号手段と、復号された情報を出力する第２出力手段とを有することを特徴とするデジタル放送受信装置。
【請求項２】  前記デジタル放送は、符号化された情報を複数のチャンネル毎に番組単位で放送するとともに、放送される番組のチャンネル、放送開始予定時刻および番組内容を含む番組配列情報を含み、
前記携帯ユニットは、操作者が操作する入力手段を備えるとともに、前記第２出力手段は表示機能を有しており、
前記固定ユニットは、受信した番組配列情報を第１番組配列情報記憶手段に記憶するとともに前記携帯ユニットに送信し、
前記携帯ユニットは、前記固定ユニットからの番組配列情報を受信して、第２番組配列情報記憶手段に記憶するとともに第２出力手段に表示し、入力手段からの入力と番組配列情報とに基いて、チャンネルおよび放送開始予定時刻を含む番組予約情報を作成して第２番組予約情報記憶手段に記憶するとともに、当該番組予約情報を第２通信手段によって固定ユニットに送信して、固定ユニットの第１番組予約情報記憶手段に記憶させることを特徴とする請求項１記載のデジタル放送受信装置。
【請求項３】  前記デジタル放送は、交通路の状況を示す交通情報を含み、
前記固定ユニットは、当該固定ユニットに着脱可能な記録媒体に記録されている情報を読取る記録媒体読取手段を有し、
前記携帯ユニットは、位置情報衛星からの位置基準情報を受信し、位置基準情報に基いて携帯ユニットの現在位置に関する位置情報を算出する位置算出手段と、地図情報および位置情報に基いて、地図および現在位置を第２出力手段に表示する現在位置表示機能、ならびに地図情報、交通情報、入力された出発地および目的地に基いて、出発地から目的地までの経路探索を行い、地図および探索された経路を第２出力手段に表示する経路探索機能を実行するナビゲーション手段とを有し、
前記固定ユニットは、地図情報が記録されている記録媒体から記録媒体読取手段によって読取った地図情報と、受信した交通情報とを前記携帯ユニットに送信し、
前記携帯ユニットは、固定ユニットからの地図情報および交通情報を受信して、前記地図情報を第２記憶手段に記憶するとともに、記憶された地図情報と算出された位置情報と入力手段に入力された出発地および目的地と交通情報とに基いて、ナビゲーション手段を機能させることを特徴とする請求項１または２記載のデジタル放送受信装置。
【請求項４】  携帯ユニットが着脱可能なデジタル放送受信装置の固定ユニットであって、
符号化された複数種類の情報が含まれるデジタル放送を受信する受信手段と、
受信したデジタル放送に含まれる情報を記憶する記憶手段と、
受信したデジタル放送に含まれる特定の種類の情報を復号する復号手段と、
復号された情報を出力する出力手段と、
受信したデジタル放送に含まれる残余の種類の情報を前記携帯ユニットに送信する通信手段とを有することを特徴とするデジタル放送受信装置の固定ユニット。
【請求項５】  前記デジタル放送は、符号化された情報を複数のチャンネル毎に番組単位で放送するとともに、放送される番組のチャンネル、放送開始予定時刻および番組内容を含む番組配列情報を含み、
受信した番組配列情報を記憶するとともに前記携帯ユニットに送信し、
携帯ユニットからの番組予約情報を受信して記憶することを特徴とする請求項４記載のデジタル放送受信装置の固定ユニット。
【請求項６】  前記デジタル放送は、交通路の状況を示す交通情報を含み、
着脱可能な記録媒体に記録されている地図情報を読取り、受信した交通情報と読取った地図情報とを携帯ユニットに送信することを特徴とする請求項４または５記載のデジタル放送受信装置の固定ユニット。
【請求項７】  符号化された複数種類の情報が含まれるデジタル放送を受信する受信手段と、受信したデジタル放送に含まれる情報を記憶する第１記憶手段と、受信したデジタル放送に含まれる特定の種類の情報を復号する第１復号手段と、復号された情報を出力する第１出力手段と、受信したデジタル放送に含まれる残余の種類の情報を前記携帯ユニットに送信する第１通信手段とを有する固定ユニットに、着脱可能なデジタル放送受信機の携帯ユニットであって、
固定ユニットから送信される情報を受信する第２通信手段と、
固定ユニットからの情報を記憶する第２記憶手段と、
前記情報を復号する第２復号手段と、
復号された情報を出力する第２出力手段とを有することを特徴とするデジタル放送受信装置の携帯ユニット。
【請求項８】  デジタル放送は、符号化された情報を複数のチャンネル毎に番組単位で放送するとともに、放送される番組のチャンネル、放送開始予定時刻および番組内容を含む番組配列情報を含み、
固定ユニットから送信された番組配列情報を受信して記憶するとともに表示し、入力手段からの入力と番組配列情報とに基づいて、チャンネルおよび放送開始予定時刻を含む番組予約情報を作成して記憶するとともに、当該番組予約情報を固定ユニットに送信することを特徴とする請求項７記載のデジタル放送受信装置の携帯ユニット。
【請求項９】  前記デジタル放送は、交通路の状況を示す交通情報を含み、
位置情報衛星から受信した位置基準情報に基づいて現在位置に関する位置情報を算出するとともに、固定ユニットからの地図情報および交通情報を受信して、地図情報と算出された位置情報と入力手段により入力された目的地と交通情報とに基づいて、ナビゲーション手段を機能させることを特徴とする請求項７または８記載のデジタル放送受信装置の携帯ユニット。
【手続補正３】
【補正対象書類名】明細書
【補正対象項目名】０００１
【補正方法】変更
【補正の内容】
【０００１】
【発明の属する技術分野】
本発明は、自動車などの移動体に搭載されるデジタル放送受信装置、デジタル放送受信装置の固定ユニットおよび携帯ユニットに関する。
【手続補正４】
【補正対象書類名】明細書
【補正対象項目名】０００８
【補正方法】変更
【補正の内容】
【０００８】
したがって本発明の目的は、デジタル放送に含まれるマルチメディア情報を表示するユニットを容易に携帯できるようにして、自動車などの移動体に搭載し、前記ユニットが車内だけでなく車外でもマルチメディア情報を表示することによって、マルチメディア情報を有効活用することができるとともに、操作性の良いデジタル放送受信装置、デジタル放送受信装置の固定ユニットおよび携帯ユニットを提供することである。
【手続補正５】
【補正対象書類名】明細書
【補正対象項目名】０００９
【補正方法】変更
【補正の内容】
【０００９】
【課題を解決するための手段】
本発明（１）は、固定ユニットと、当該固定ユニットに着脱可能な携帯ユニットとを備え、
前記固定ユニットは、符号化された複数種類の情報が含まれるデジタル放送を受信する受信手段と、受信したデジタル放送に含まれる情報を記憶する第１記憶手段と、受信したデジタル放送に含まれる特定の種類の情報を復号する第１復号手段と、復号された情報を出力する第１出力手段と、受信したデジタル放送に含まれる残余の種類の情報を前記携帯ユニットに送信する第１通信手段とを有し、
前記携帯ユニットは、固定ユニットから送信される情報を受信する第２通信手段と、固定ユニットからの情報を記憶する第２記憶手段と、前記情報を復号する第２復号手段と、復号された情報を出力する第２出力手段とを有することを特徴とするデジタル放送受信装置である。
【手続補正６】
【補正対象書類名】明細書
【補正対象項目名】００１３
【補正方法】変更
【補正の内容】
【００１３】
また本発明（２）は、前記デジタル放送は、符号化された情報を複数のチャンネル毎に番組単位で放送するとともに、放送される番組のチャンネル、放送開始予定時刻および番組内容を含む番組配列情報を含み、
前記携帯ユニットは、操作者が操作する入力手段を備えるとともに、前記第２出力手段は表示機能を有しており、
前記固定ユニットは、受信した番組配列情報を第１番組配列情報記憶手段に記憶するとともに前記携帯ユニットに送信し、
前記携帯ユニットは、前記固定ユニットからの番組配列情報を受信して、第２番組配列情報記憶手段に記憶するとともに第２出力手段に表示し、入力手段からの入力と番組配列情報とに基いて、チャンネルおよび放送開始予定時刻を含む番組予約情報を作成して第２番組予約情報記憶手段に記憶するとともに、当該番組予約情報を第２通信手段によって固定ユニットに送信して、固定ユニットの第１番組予約情報記憶手段に記憶させることを特徴とする。
【手続補正７】
【補正対象書類名】明細書
【補正対象項目名】００１４
【補正方法】変更
【補正の内容】
【００１４】
本発明に従えば、デジタル放送に含まれる番組配列情報は、固定ユニットの第１番組配列情報記憶手段に記憶されるとともに携帯ユニットに送信される。送信された番組配列情報は、携帯ユニットに受信され、第２番組配列情報記憶手段に記憶されるとともに第２出力手段の表示機能によって表示される。携帯ユニットにおいて、入力手段からの入力と番組配列情報とに基いて作成される、チャンネルおよび放送開始予定時刻を含む番組予約情報は、第２番組予約情報記憶手段に記憶されるとともに、第２通信手段によって固定ユニットに送信されて、固定ユニットの第１番組予約情報記憶手段に記憶される。
【手続補正８】
【補正対象書類名】明細書
【補正対象項目名】００１６
【補正方法】変更
【補正の内容】
【００１６】
また携帯ユニットの第２番組予約情報記憶手段に番組予約情報が記憶されるので、携帯ユニットの固定ユニットに対する着脱状態に係らず、操作者は番組予約情報を閲覧することができる。さらに番組予約情報は、固定ユニットおよび携帯ユニットの各記憶手段にそれぞれ記憶されるので、万一、固定ユニットの第１番組予約情報記憶手段に記憶されている番組予約情報が、何らかの要因で消去されても、固定ユニットは、携帯ユニットの第２番組予約情報記憶手段に記憶されている番組予約情報に基いて、操作者の所望の番組を受信することができる。また万一、携帯ユニットの第２番組予約情報記憶手段に記憶されている番組予約情報が、何らかの要因で消去されても、携帯ユニットは、固定ユニットの第１番組予約情報記憶手段に記憶されている番組予約情報を、第２出力手段に表示することができる。
【手続補正９】
【補正対象書類名】明細書
【補正対象項目名】００１７
【補正方法】変更
【補正の内容】
【００１７】
また本発明（３）は、前記デジタル放送は、交通路の状況を示す交通情報を含み、
前記固定ユニットは、当該固定ユニットに着脱可能な記録媒体に記録されている情報を読取る記録媒体読取手段を有し、
前記携帯ユニットは、位置情報衛星からの位置基準情報を受信し、位置基準情報に基いて携帯ユニットの現在位置に関する位置情報を算出する位置算出手段と、地図情報および位置情報に基いて、地図および現在位置を第２出力手段に表示する現在位置表示機能、ならびに地図情報、交通情報、入力された出発地および目的地に基いて、出発地から目的地までの経路探索を行い、地図および探索された経路を第２出力手段に表示する経路探索機能を実行するナビゲーション手段とを有し、
前記固定ユニットは、地図情報が記録されている記録媒体から記録媒体読取手段によって読取った地図情報と、受信した交通情報とを前記携帯ユニットに送信し、
前記携帯ユニットは、固定ユニットからの地図情報および交通情報を受信して、前記地図情報を第２記憶手段に記憶するとともに、記憶された地図情報と算出された位置情報と入力手段に入力された出発地および目的地と交通情報とに基いて、ナビゲーション手段を機能させることを特徴とする。
【手続補正１０】
【補正対象書類名】明細書
【補正対象項目名】００１９
【補正方法】変更
【補正の内容】
【００１９】
また携帯ユニットの第２記憶手段に地図情報が記憶されるので、携帯ユニットには、携帯ユニットに着脱可能な記録媒体に記録されている情報を読取る記録媒体読取手段を備える必要がなく、携帯ユニットの構成を簡素にするとともに、小形化および軽量化を図ることができる。さらに携帯ユニットの第２記憶手段に地図情報が記憶されるので、固定ユニットの記録媒体読取手段から地図情報が記録されている記録媒体が離脱しても、携帯ユニットは、ナビゲーション手段を機能させることができ、これによって固定ユニットの記録媒体読取手段に、他の情報が記録されている記録媒体を装着して、その情報を読取ることができる。
また本発明（４）は、携帯ユニットが着脱可能なデジタル放送受信装置の固定ユニットであって、
符号化された複数種類の情報が含まれるデジタル放送を受信する受信手段と、
受信したデジタル放送に含まれる情報を記憶する記憶手段と、
受信したデジタル放送に含まれる特定の種類の情報を復号する復号手段と、
復号された情報を出力する出力手段と、
受信したデジタル放送に含まれる残余の種類の情報を前記携帯ユニットに送信する通信手段とを有することを特徴とするデジタル放送受信装置の固定ユニットである。
また本発明（７）は、符号化された複数種類の情報が含まれるデジタル放送を受信する受信手段と、受信したデジタル放送に含まれる情報を記憶する第１記憶手段と、受信したデジタル放送に含まれる特定の種類の情報を復号する第１復号手段と、復号された情報を出力する第１出力手段と、受信したデジタル放送に含まれる残余の種類の情報を前記携帯ユニットに送信する第１通信手段とを有する固定ユニットに、着脱可能なデジタル放送受信機の携帯ユニットであって、
固定ユニットから送信される情報を受信する第２通信手段と、
固定ユニットからの情報を記憶する第２記憶手段と、
前記情報を復号する第２復号手段と、
復号された情報を出力する第２出力手段とを有することを特徴とするデジタル放送受信装置の携帯ユニットである。
【手続補正１１】
【補正対象書類名】明細書
【補正対象項目名】００４７
【補正方法】変更
【補正の内容】
【００４７】
また本実施の形態のデジタル放送受信装置１によれば、携帯ユニット３は、マルチメディア情報を表示するとともに、操作者が操作するディスプレイ操作部３５を備え、固定ユニット２は、受信したデジタル音声放送に含まれる番組配列情報を、第１メモリ１６に記憶するとともに携帯ユニット３に送信し、携帯ユニット３は、固定ユニット２からの番組配列情報を受信して、第２メモリ３３に記憶するとともにディスプレイ操作部３５に表示し、ディスプレイ操作部３５からの入力と番組配列情報とに基いて、チャンネルおよび放送開始予定時刻を含む番組予約情報を作成して第２メモリ３３に記憶するとともに、当該番組予約情報を第２無線ＩＦ３０によって固定ユニット２に送信して、固定ユニット２の第１メモリ１６に記憶させる。これによって携帯ユニット３の固定ユニット２に対する着脱状態に係らず、操作者は、ディスプレイ操作部３５に表示される番組配列情報を閲覧して、所望の番組のチャンネルおよび放送開始予定時刻をディスプレイ操作部３５に入力することで、所望の番組の予約を容易に行うことができるとともに、固定ユニット２は番組予約情報に基いて、操作者の所望の番組を受信することができる。固定ユニットの記憶手段、第１記憶手段、第１番組配列情報記憶手段および第１番組情報記憶手段は、前記第１メモリによって実現され、第２記憶手段、第２番組配列情報記憶手段および第２番組情報記憶手段は、前記第２メモリによって実現される。
【手続補正１２】
【補正対象書類名】明細書
【補正対象項目名】００６０
【補正方法】変更
【補正の内容】
【００６０】
【発明の効果】
以上のように本発明（１）によれば、携帯ユニットは、固定ユニットに対する着脱状態に係らず、固定ユニットからの残余の種類の情報を受信して出力するとともに、その情報を記憶することができる。このような携帯ユニットが固定ユニットに装着される状態におけるデジタル放送受信装置は、受信したデジタル放送に含まれる全ての情報を、記憶および出力することができる。
【手続補正１３】
【補正対象書類名】明細書
【補正対象項目名】００６２
【補正方法】変更
【補正の内容】
【００６２】
また本発明（２）によれば、携帯ユニットの固定ユニットに対する着脱状態に係らず、操作者は、第２出力手段に表示される番組配列情報を閲覧して、所望の番組のチャンネルおよび放送開始予定時刻を入力手段に入力することで、所望の番組の予約を容易に行うことができるとともに、固定ユニットは番組予約情報に基いて、操作者の所望の番組を受信することができる。
【手続補正１４】
【補正対象書類名】明細書
【補正対象項目名】００６３
【補正方法】変更
【補正の内容】
【００６３】
また携帯ユニットの第２番組予約情報記憶手段に番組予約情報が記憶されるので、携帯ユニットの固定ユニットに対する着脱状態に係らず、操作者は番組予約情報を閲覧することができる。さらに番組予約情報は、固定ユニットおよび携帯ユニットの各記憶手段にそれぞれ記憶されるので、万一、固定ユニットの第１番組予約情報記憶手段に記憶されている番組予約情報が、何らかの要因で消去されても、固定ユニットは、携帯ユニットの第２記憶手段に記憶されている番組予約情報に基いて、操作者の所望の番組を受信することができる。また万一、携帯ユニットの第２番組予約情報記憶手段に記憶されている番組予約情報が、何らかの要因で消去されても、携帯ユニットは、固定ユニットの第１番組予約情報記憶手段に記憶されている番組予約情報を、第２出力手段に表示することができる。
【手続補正１５】
【補正対象書類名】明細書
【補正対象項目名】００６５
【補正方法】変更
【補正の内容】
【００６５】
また携帯ユニットの第２記憶手段に地図情報が記憶されるので、携帯ユニットには、携帯ユニットに着脱可能な記録媒体に記録されている情報を読取る記録媒体読取手段を備える必要がなく、携帯ユニットの構成を簡素にするとともに、小形化および軽量化を図ることができる。さらに携帯ユニットの第２記憶手段に地図情報が記憶されるので、固定ユニットの記録媒体読取手段から地図情報が記録されている記録媒体を離脱させても、携帯ユニットは、ナビゲーション手段を機能させることができ、これによって固定ユニットの記録媒体読取手段に、他の情報が記録されている記録媒体を装着して、その情報を読取ることができる。
また本発明（４）によれば、受信したデジタル放送に含まれる情報のうち、特定の種類の情報を、固定ユニットにおいて復号して出力し、残余の情報を送信するので、固定ユニットにおいて、受信したデジタル放送に含まれる情報を全て復号して出力する場合に比べて、固定ユニットにおける復号および出力にかかる処理を軽減し、復号および出力を迅速に行うことができるとともに操作性が向上する。
また本発明（７）によれば、携帯ユニットは、固定ユニットに対する着脱状態に係らず、固定ユニットからの残余の種類の情報を受信して出力するとともに、その情報を記憶することができる。受信したデジタル放送に含まれる情報のうち、特定の種類の情報を、固定ユニットにおいて復号して出力し、残余の情報を、携帯ユニットにおいて復号して出力するので、固定ユニットおよび携帯ユニットのいずれかにおいて、受信したデジタル放送に含まれる情報を全て復号して出力する場合に比べて、固定ユニットおよび携帯ユニットにおける復号および出力にかかる処理を軽減し、復号および出力を迅速に行うことができるとともに操作性が向上する。